(57)【特許請求の範囲】
【請求項１】
収納体の開口部を開閉自在とする扉を設け、収納体内にコンセントと、収納体内の温度を検知するための温度検知手段とを設け、扉が閉の状態で温度検知手段により所定温度以上の温度を検知した際にコンセントからの電力供給を遮断するようにすると共に扉が開の状態では温度検知手段によって異常温度として設定してある所定温度以上を検知してもコンセントからの電力供給の遮断を行わないように設定して成ることを特徴とする収納キャビネット。
【請求項２】
収納体に収納体内部を換気するための換気装置を設け、温度検知手段により上記異常温度として設定してある所定温度以下のある温度を検知することで換気装置を運転することを特徴とする請求項１記載の収納キャビネット。
【請求項３】
温度検知手段が収納体内部の温度を検知するための赤外線センサと、収納体内部の排気温度を検知する排気温度検知センサとよりなることを特徴とする請求項１又は請求項２記載の収納キャビネット。
【発明の詳細な説明】
【技術分野】
【０００１】
本発明は、収納体内に収納する電気機器に電力を供給するためのコンセントを備えた収納キャビネットに関するものである。
【背景技術】
【０００２】
従来から開口部を開閉自在とする扉を有する収納体にコンセントを設け、収納体内に収納した電気機器に電力を供給するようにした収納キャビネットがある。このような扉を有する収納キャビネットとして例えば特許文献１が知られている。
【０００３】
この特許文献１に示された収納キャビネットは、収納体内に炊飯器を収納した状態で炊飯、保温ができるようにしたもので、収納体に炊飯器への電力を供給するためのコンセントを設け、更に、換気装置を設けてあり、炊飯器で炊飯する時に自動的に換気装置を運転し、更に、炊飯が終了した後の保温時に一定時間換気装置を運転して蒸気を排気するようになっている。
【０００４】
ところが、上記従来例においては、炊飯器や換気装置の故障等により収納体内が異常温度になっても、炊飯器に電力が供給され続けるため、安全上好ましいものではない。
【０００５】
そこで、本発明者は本発明に至る過程で収納体内部の温度を検知する温度検知手段を設け、温度検知手段で異常温度を検知した場合にはコンセントからの電力供給を遮断するように制御することを考えた。これにより異常温度となっても安全を確保することができるが、例えば、炊飯が終了して保温状態となった時点で、扉を開いて炊飯器の蓋を開けるという通常の使用を行った場合、大量の高温の蒸気が発生するため、温度検知手段によりこの場合の高温を異常温度であると検知してコンセントからの電力供給を遮断し、炊飯器の保温ができなくなるという問題が新たに発生することが判明した。
【０００６】
これは、収納体内に収納する電気機器が炊飯器だけにかぎらず、湯沸し用電気ポットやコーヒーメーカ等の蒸気や熱気の出る電気機器を収納する場合も同様の問題が発生する。
【特許文献１】実公平７−２２１０５号公報
【発明の開示】
【発明が解決しようとする課題】
【０００７】
本発明は上記の従来の問題点に鑑みて発明したものであって、扉を閉じている状態で収納体内に収納した電気機器を使用している時に異常温度になると、自動的にコンセントからの電力供給を遮断して安全性を確保でき、また、蓋を開いている場合に誤検知してコンセントからの電力供給を誤って遮断することがない収納キャビネットを提供することを課題とするものである。
【課題を解決するための手段】
【０００８】
上記課題を解決するために本発明に係る収納キャビネットは、収納体３の開口部１を開閉自在とする扉６を設け、収納体３内にコンセント２７と、収納体３内の温度を検知するための温度検知手段３１とを設け、扉６が閉の状態で温度検知手段３１により所定温度以上の温度を検知した際にコンセント２７からの電力供給を遮断するようにすると共に扉６が開の状態では温度検知手段３１によって異常温度として設定してある所定温度以上を検知してもコンセント２７からの電力供給の遮断を行わないように設定して成ることを特徴とするものである。
【０００９】
このような構成とすることで、扉６を閉じて収納体３内部が見えない（又は見え難い）状態において、収納体３内に収納した電気機器７にコンセント２７から電力を供給して電気機器７の通電使用をしている際に、仮に異常温度となっても、温度検知手段３１により異常温度を検知してコンセント２７からの電力供給の遮断を行って安全を確保するものである。一方、扉６を開いている状態で、電気機器７（例えば炊飯器、湯沸し用電気ポット、コーヒーメーカ等）の蓋を開いた場合に蒸気や熱気が大量に出るような場合であっても、これを異常であると誤検知せず、コンセント２７からの電力供給を継続して電気機器７の正常な使用を継続できる。
【００１０】
また、収納体３に収納体３内部を換気するための換気装置８を設け、温度検知手段３１により上記異常温度として設定してある所定温度以下のある温度を検知することで換気装置８を運転することが好ましい。
【００１１】
このような構成とすることで、温度検知手段３１により異常温度として設定してある所定温度以下のある温度を検知した場合、換気装置８が自動運転されるので、収納体３内部に蒸気や熱気がこもらず、収納体３内が異常温度に昇温しないようにして通常の通電使用ができる。
【００１２】
また、温度検知手段３１が収納体３内部の温度を検知するための赤外線センサ３１ａと、収納体３内部の排気温度を検知する排気温度検知センサ３１ｂとよりなることが好ましい。
【００１３】
赤外線センサ３１ａによって収納体３内における電気機器７の外表面の温度や収納体３内の温度を検知して電気機器７の外表面の温度や収納体３内の温度が異常温度になるとコンセント２７からの電力供給を遮断して安全性を確保すると共に、排気温度検知センサ３１ｂにより排気温度を検知して排気温度が異常温度となるとコンセント２７からの電力供給を遮断して安全性を確保でき、２重に安全の確保ができ、また、一方が故障した場合でも他方により安全性を確保できる。
【発明の効果】
【００１４】
本発明は、上記のように、扉が閉の状態で温度検知手段により所定温度以上の温度を検知した際にコンセントからの電力供給を遮断するようにすると共に扉が開の状態では温度検知手段によって異常温度として設定してある所定温度以上を検知してもコンセントからの電力供給の遮断を行わないように設定してあるので、扉を閉じている状態で収納体内に収納した電気機器を使用している時に異常温度となると、自動的にコンセントからの電力供給を遮断して安全性を確保でき、また、蓋を開いている場合に誤検知してコンセントからの電力供給を誤って遮断することがなく、収納体に電気機器を収納して通電使用する場合の使い勝手がよくなる。
【発明を実施するための最良の形態】
【００１５】
以下、本発明を添付図面に示す実施形態に基いて説明する。
【００１６】
収納キャビネットＡの主体を構成する収納体３は前面が開口した箱体により構成してあり、添付図面に示す実施形態では図５乃至図６に示すように、左右側板９、上面板１０、下面板１１、背板３０を箱形状に組み合わせて固定することで前面が開口部１となった収納体３が構成してある。この収納体３内には収納用空間が形成してあって収納部２となっており、収納部２の底を構成する底板４が底板スライド機構１２を介して前面の開口部１から前方に引き出し自在となっている。
【００１７】
底板スライド機構１２は図７に示すように、収納部２の下部両側、つまり、左右側板９の内面の下面板１１よりやや上方位置に固定された前後に長い固定用レール部１３と、固定用レール部１３に対して前後方向にスライド自在に取り付けられた中間レール部１４と、中間レール部１４に対して前後方向にスライド自在に取り付けられた底板側レール部１５とで構成してあり、左右の底板側レール部１５がそれぞれ底板４の左右両側端面に固定してある。底板４を手前に引くと、底板側レール部１５が中間レール部１４に対して前方にスライドすると共に中間レール部１４が固定用レール部１３に対して前方にスライドすることで、底板４を開口部１から前方に引き出すことができ、また、底板４を押し込むことで、底板側レール部１５が中間レール部１４に対して後方にスライドして重なると共に中間レール部１４が固定用レール部１３に対して後方にスライドして重なることで、底板４を収納部２内に位置させることができるようになっている。もちろん、底板スライド機構１２は上記の例にのみ限定されず、他の種々のスライドレール機構を採用できる。
【００１８】
収納体３には収納部２の開口部１を開閉自在とする扉６が設けてある。
【００１９】
添付図面に示す実施形態では、図５、図６に示すように、収納体３には底板４を収納部２内に収納した状態で底板４と下面板１１との間に小隙間が形成してあって、該小隙間を扉収納部５としてある。この底板４の下位置の扉収納部５には扉スライド機構１６を介して扉６が前方に引き出し自在に収納してある。添付図面に示す実施形態においては、図７、図８に示すように、扉スライド機構１６は、左右の側板９の内面の下端部（つまり、上記固定用レール部１３の直ぐ下位置）に固定した扉スライド用レール１７と、左右両端部に左右の扉スライド用レール１７に走行自在に嵌め込まれるころ１８を有し且つ扉６の後端部が回動自在に取り付けられた左右方向に細長いスライド部材１９とで構成してある。
【００２０】
図８に示すように、左右方向に細長いスライド部材１９には少なくとも左右両端部を含む複数箇所に少なくとも前方及び下方に開口した凹部２０が形成してあり、該凹部２０内に軸芯が左右方向となった軸部２１が架設してあり、扉６の後端部に設けた軸受け部２２を軸部２１に回動自在に嵌め込んである。
【００２１】
図９に示すように扉６の後端部には回動支持部２３が設けてあり、回動支持部２３には扉６の裏面側に突出する突部２４が突設してあって該突部２４に孔２５を設けることで軸受け部２２が構成してあり、また、回動支持部２３の突部２４より後方位置に扉６の裏面側に露出する（図９においては扉６の裏面より後方に突出した状態で露出する）当り部２６が設けてある。
【００２２】
軸受け部２２をスライド部材１９の軸部２１に回動自在に軸支することで扉６がスライド部材１９に対して回動自在に取り付けられるのであるが、扉６を水平状態となるように横向き姿勢にした状態で、図９（ａ）に示すように当り部２６がスライド部材１９の下面に当って扉６が水平な横向き姿勢で保持されるようになっている。したがって、このように扉６を水平な横向き姿勢に保持した状態で扉６を押すことでスライド部材１９を扉スライド用レール１７に対して後方に移動させて扉６を底板４の直下において底板４に重複するようにして扉収納部５に収納することができ、また、収納した状態の扉６を手前に引くことで、スライド部材１９を扉スライド用レール１７に対して前方に移動させて図９（ａ）のように扉６を収納体３の前方に飛び出すように引き出すことができる。このように扉６を引き出した状態で図９（ｂ）のように扉６を回動させて起立させることで、図５、図１に示すように収納体３の前面の開口部１を閉じて底板４を含めて収納部２を覆うことができる。扉６を起立させて収納部２を閉じた場合、扉６の起立状態を保持して閉状態を維持するための手段が設けてある。扉６の閉状態を維持する手段としては例えば磁石、あるいは、ローラーキャッチ等従来から扉６の閉状態を維持する周知の技術を適用することができる。
【００２３】
扉６を開く場合は、扉６を上記とは逆に回動して水平な横向き姿勢にして扉６を後方に押し込むことにより扉収納部５内に収納することができる。
【００２４】
収納部２内にはコンセント２７が設けてある。添付図面に示す実施形態では背板３０にコンセント２７が設けてあるが、背板３０以外の部位に設けてもよい。上記コンセント２７は図示を省略しているが建物に配線してある電力線に接続される。
【００２５】
収納体３の上部には収納部２内を換気するための換気装置８が設けてある。収納体３の前面の上端部には換気装置８の操作を行うための操作部２８及び換気出口２９が設けてある。なお、換気出口２９は前面以外の他の部分に設けてもよい。
【００２６】
上記の構成の本発明の収納キャビネットＡは、底板４に収納物として電気機器７を載置して収納部２内に収納する場合、該電気機器７から導出したコードの先端のプラグを収納部２に設けたコンセント２７に接続して電気機器７に電力を供給することで、収納部２内に電気機器７を収納した状態での電気機器への電力供給使用が可能となるようになっている。
【００２７】
上記のような構成の本発明の収納キャビネットＡは、開口部１を開にすることで、底板４を引き出して底板４上に収納物を載せ、底板４を押し込むことで収納部２内に収納物を収納することができる。また、底板４を収納部２内に収納した状態で図１のように扉６で開口部１を閉じることで、収納部２及び収納物が外部に露出しないようにできる。
【００２８】
ここで、開口部１を開にして扉６を扉収納部５に収納した状態では、開口部１から収納部２内が見えるが、底板４を引き出していない状態では底板４により扉６が隠されて外部に露出せず、外観がよい。また、扉６を収納した状態、あるいは扉６を水平姿勢のまま前方に引き出した状態で、図２に示すように、底板４を引き出して底板４上に収納物を載置したり、あるいは、底板４上に載置している収納物を取り出したり、あるいは、底板４上に載置している収納物が容器や電気機器７の場合には容器内への内容物の出し入れや電気機器の操作、保守、点検、あるいは電気機器７が炊飯器等の場合には蓋の開閉等を行うことができる。このように扉６を収納した状態、あるいは水平姿勢のまま引き出した状態で、底板４をスライドさせて出し入れする際、底板４及び底板４上に載せる収納物が扉６に当たったりせず、底板４のスライドがスムーズにでき、また、底板４、収納物、扉６が衝突により傷ついたりしない。
【００２９】
ところで、本発明においては、コンセント２７を設けてあるので、引き出し自在な底板４に収納物として電気機器７を載置して収納部２内に収納する場合、該電気機器７から導出したコードの先端のプラグを収納部２に設けたコンセント２７に接続して電気機器７に電力を供給する。
【００３０】
ここで、底板４に載置する収納物が炊飯器や湯沸し用電気ポット等の水蒸気や熱気が発生する電気機器７の場合、換気装置８を運転することで収納部２内において炊飯器や湯沸し用電気ポット、コーヒーメーカ等から発生する蒸気や熱気を外部に排気して収納部２内に水蒸気や熱気がこもらないようにすることができる。
【００３１】
なお、収納部２の内面を鉄板のような金属板とすることで、収納部２内で高温の蒸気が発生したり、熱気が発生しても、蒸気による水や熱で収納部２内面が侵されず、また、安全性を高めることができる。
【００３２】
同じ理由で、底板４全体又は少なくとも底板４の上面部を鉄板のような金属製とすることで、蒸気による水や熱で底板４が侵されず、また、安全性を高めることができる。
【００３３】
本発明の収納キャビネットＡにおいては、前述のように収納部２内にコンセント２７を設けているが、収納部２内に収納物として電気機器７を収納して上記コンセント２７から電力供給を受けて収納部２内で電気機器７を通電使用した場合の安全対策として図３の制御ブロック図に示すような安全装置が設けてある。
【００３４】
安全装置は、温度検知手段３１と、扉６の開閉を検知する扉開閉検知手段３２と、温度検知手段３１及び扉開閉検知手段３２からの検知情報が入力される制御部３３と、上記検知情報に基づいて制御部３３から出力される制御信号によるコンセント２７からの電力供給を遮断するための電力供給遮断手段３４を備えており、扉開閉検知手段３２により扉６の閉を検知した状態において温度検知手段３１により収納部２内の温度があらかじめ設定してある所定温度以上の温度を検知すると、電力供給遮断手段３４によりコンセント２７からの電力供給を遮断して電気機器７に電力が供給されないように制御されるようになっている。安全装置は、扉開閉検知手段３２により扉６の開を検知した状態においては、温度検知手段３１により収納部２内の温度があらかじめ設定してある所定温度以上の温度を検知しても、電力供給遮断手段３４によりコンセント２７からの電力供給の遮断をしないようになっている。
【００３５】
扉開閉検知手段３２としては例えば扉６に磁石３２ａを設けると共に収納体３側もしくは換気装置８に磁気検知スイッチ３２ｂを設けることで構成してある。
【００３６】
上記温度検知手段３１として図３に示す実施形態においては、収納部２内に収納した収納物である電気機器７の外表面温度や収納部２内温度を検知する赤外線センサ３１ａと、換気装置８の排気路に設けられた排気温度を検知する排気温度検知センサ３１ｂとがある。
【００３７】
上記実施形態においては、扉開閉検知手段３２により扉６の閉を検知した状態において、赤外線センサ３１ａにより電気機器７の外表面や収納部２内の異常温度（赤外線センサ３１ａで検知する予め設定したある設定温度を異常温度としてある）を検知すると、電力供給遮断手段３４によりコンセント２７からの電力供給を停止するようになっている。
【００３８】
また、上記赤外線センサ３１ａによる温度検知だけでなく、排気温度検知センサ３１ｂによっても排気温度を検知しており、扉開閉検知手段３２により扉６の閉を検知した状態において、排気温度検知センサ３１ｂが排気の異常温度を検出した場合も、電力供給遮断手段３４によりコンセント２７からの電力供給を停止するようになっている。したがって、仮に、赤外線センサ３１ａが故障した場合でも扉開閉検知手段３２により扉６の閉を検知した状態において排気温度が異常温度となると電力供給遮断手段３４によりコンセント２７からの電力供給を停止する。
【００３９】
上記のように扉開閉検知手段３２により扉６の閉を検知した状態において、赤外線センサ３１ａにより上記異常温度を検知することで電力供給遮断手段３４によりコンセント２７からの電力供給を停止するようになっているが、これに加え、扉開閉検知手段３２により扉６の閉を検知した状態において、上記異常温度よりも低い予め決められたある温度（換気装置運転温度）を赤外線センサ３１ａで検知すると、換気装置８を運転する（換気装置８のファンを運転する）ようになっており、これにより、収納部２内に蒸気や熱気がこもって異常昇温するのを防止するようになっている。
【００４０】
なお、上記換気装置８の運転については、扉開閉検知手段３２により扉６の開を検知した状態においても、換気装置運転温度を赤外線センサ３１ａで検知すると、換気装置８を運転するようになっていてもよい。
【００４１】
上記の構成により扉６が閉じている状態で収納部２内に配置された炊飯器、湯沸し用電気ポット、コーヒーメーカ等の電気機器にコンセント２７から電力を供給して使用する場合であっても、収納部２内が異常昇温するのを防止し、仮に異常温度になったとしても、コンセント２７からの電力供給を遮断することで安全を確保することができる。したがって、扉６を閉じた状態で通電使用時に水蒸気、熱気等が出る炊飯器、湯沸し用電気ポット、コーヒーメーカ等電気機器の通電使用が可能となる。
【００４２】
一方、扉開閉検知手段３２により扉６の開を検知した状態においては、赤外線センサ３１ａが電気機器７の外表面又は収納部２内の異常温度を検知した場合、排気温度検知センサ３１ｂが排気の異常温度を検出した場合のいずれの場合も電力遮断手段３４によるコンセント２７からの電力供給の停止をしないようになっている。
【００４３】
これは、収納物である電気機器７が例えば炊飯器の場合、炊飯が終了した後、炊飯器は保温状態となるのであるが、この段階で扉６を開いて図２のように底板４を引き出して炊飯器の蓋を開けた場合、大量の水蒸気が放出され、収納部２内や電気機器７が異常でないにもかかわらず、赤外線センサ３１ａや排気温度検知センサ３１ｂが異常温度であると誤って検知してコンセント２７からの電力供給を停止すると、保温のための炊飯器への電力供給が停止されてしまうという問題がある。しかしながら本発明においては、上記のように扉６が開の状態では、赤外線センサ３１ａ、排気温度検知センサ３１ｂが異常温度を検出した場合のいずれの場合も電力供給遮断手段３４によるコンセント２７からの電力供給の停止を行わないので、扉６を開いて図２のように底板４を引き出して炊飯器の蓋を開けて大量の蒸気が放出されても炊飯器への保温のための電力供給が停止されることはない。
【００４４】
なお、添付図面に示す実施形態においては、扉収納部５を収納部２の底を構成する引き出し自在な底板４の下位置に設けてあるので、底板４の引き出しに必要な底板スライド機構１２と、扉６の引き出しに必要な扉スライド機構１６とを収納部２の下部にまとめて配置できて、収納部２の左右両側や上に扉スライド機構１６を設けて底板４の収納位置とは離れた箇所に扉６を収納する場合に比べて、収納部２内の左右方向の有効使用寸法を大きく取れ、また、収納体３の上に扉６やレール部材に邪魔されることなく他の付属設備を配設することが可能となる。しかも扉６の開閉に当って横隣りに壁があっても扉６の開閉に支障がなく、また、横隣りに別の収納キャビネットが位置する場合、別のキャビネットに引き出しがあっても、扉６の開閉と横隣りの別のキャビネットの引き出しの出し入れ操作とが相互に干渉しあうことがなく、これにより扉６の開閉に当って配置位置に制約がなく、別の収納キャビネットとの組み合わせる場合においても扉６の開閉による制約がなくなる。また、収納部２の底板４の下位置に重ねるように扉６を収納するので、収納部２の底板４を引き出し自在にしたものにおいて、扉６収納、開閉に影響を受けることなく収納体３の上部に換気装置８を設けることが可能となる。
【００４５】
上記した実施形態では、収納体３の下端部に扉収納部５を設け、この扉収納部５に収納した扉６を手前に引き出して回動することで開口部１を閉じるようにした例を示しているが、本発明においては、扉６の取付け位置、扉６の開閉形態、扉収納部５の有無、その位置等については特に限定はなく、従来から公知の種々の扉６による開口部１の開閉の技術を適用できるのは勿論である。
【図面の簡単な説明】
【００４６】
【図１】本発明の収納キャビネットにおいて底板上に収納物である電気機器を載置した状態で底板を収納して扉で開口部を閉じた状態の断面図である。
【図２】同上の扉を収納した状態で収納物である電気機器を載置した底板を手前に引き出した状態の断面図である。
【図３】本発明の安全装置の概略制御ブロック図である。
【図４】本発明の収納キャビネットの底板、扉をそれぞれ収納した状態の正面図である。
【図５】同上の収納キャビネットの底板を収納して扉により開口部を閉じた状態の正面図である。
【図６】同上の底板を収納して扉を引き出した状態の断面図である。
【図７】同上の収納キャビネットの要部拡大正面図である。
【図８】同上に用いる扉スライド機構の一部省略斜視図である。
【図９】（ａ）は同上の扉を引き出した状態の要部断面図であり、（ｂ）は扉を引き出して上方に回動している途中の状態の要部断面図である。
【符号の説明】
【００４７】
１  開口部
３  収納体
６  扉
８  換気装置
２７  コンセント
３１  温度検知手段
３１ａ  赤外線センサ
３１ｂ  排気温度検知センサ
【図１】
0004654975.tif 000002
【図２】
0004654975.tif 000003
【図３】
0004654975.tif 000004
【図４】
0004654975.tif 000005
【図５】
0004654975.tif 000006
【図６】
0004654975.tif 000007
【図７】
0004654975.tif 000008
【図８】
0004654975.tif 000009
【図９】
0004654975.tif 000010